(57)【特許請求の範囲】
【請求項１】
取付孔が形成される取付部材と、
前記取付孔を通して配置可能なファン及び前記ファンを支持するファン固定部材を有するファンユニットと、
前記取付部材に配置され、前記ファン固定部材の前記取付孔から離れる方向への移動を規制する規制部材と、
を備え、
前記ファン固定部材は、
前記取付孔を覆う蓋部と、
前記蓋部の裏側から水平方向に延出して前記ファンを支持する支持部と、を有し、
前記取付部材は、
前記取付孔の上方に配置され、前記規制部材を挿入可能な第１挿入部と、
前記取付孔の下方で前記第１挿入部と上下方向に並んで配置され、前記規制部材を挿入可能な第２挿入部と、
を有し、
前記蓋部に対応する凹部が形成され、前記凹部に前記取付孔が形成され、
前記規制部材は、その上部に水平方向に延びる係止部が形成されるバーであり、前記第１挿入部を貫通した状態で前記第２挿入部に挿入され、前記係止部によって下方に抜けることなく前記取付部材の前面で保持されて前記ファンユニットが前記取付部材に固定されるモータ駆動装置。
【請求項２】
取付孔が形成される取付部材と、
前記取付孔を通して配置可能なファン及び前記ファンを支持するファン固定部材を有するファンユニットと、
前記取付部材に配置され、前記ファン固定部材の前記取付孔から離れる方向への移動を規制する規制部材と、
を備え、
前記ファン固定部材は、
前記取付孔を覆う蓋部と、
前記蓋部の裏側から水平方向に延出して前記ファンを支持する支持部と、を有し、
前記取付部材は、
前記取付孔の上方に配置され、前記規制部材を挿入可能な第１挿入部と、
前記取付孔の下方で前記第１挿入部と上下方向に並んで配置され、前記規制部材を挿入可能な第２挿入部と、
を有し、
前記蓋部に対応する凹部が形成され、前記凹部に前記取付孔が形成され、
前記規制部材は、
その上部にＬ字状の上側切欠部が形成されるとともに、前記上側切欠部の上側の縁部であり、下方に突出する形状であり、前記第１挿入部に挿入可能な第１突出片と、
その下部に下側切欠部が形成されるとともに、前記第１突出片の位置に対応しており、前記第２挿入部に挿入可能な第２突出片と、を有し、
前記第１突出片が前記第１挿入部に挿入されるとともに前記第２突出片が前記第２挿入部に挿入され、前記下側切欠部の一部が前記第２挿入部の上面に接触し、下から支持された状態となって前記取付部材の前面で保持されることにより、前記ファンユニットが前記取付部材に固定されるモータ駆動装置。
【請求項３】
前記取付部材は、盤に形成される開口部に対応する位置に取り付けられ、前記取付部材の前記取付孔は、前記盤の一側と他側を連通する請求項１又は２に記載のモータ駆動装置。
【請求項４】
前記ファンユニットは、前記取付部材に支持されるヒートシンクを冷却する冷却位置に配置される請求項１から３に記載のモータ駆動装置。
【請求項５】
前記ファンユニットの前記ファン固定部材は、前記取付部材の前記取付孔を塞ぐ請求項１から４に記載のモータ駆動装置。
【発明の詳細な説明】
【技術分野】
【０００１】
本発明は、ファンユニットを備えるモータ駆動装置に関する。
【背景技術】
【０００２】
強電盤に実装されるモータ駆動装置には、放熱のためのヒートシンクが取付けられている。更に、ヒートシンクにはファンモータが取付けられており、冷却効果を高めている。工作機械に使用されるファンモータは、切削液ミストや粉塵が舞っている環境で使用されることにより、長時間の使用によりその寿命が低下することがあるので、定期的に交換、点検する必要がある。そして、一般的にモータ駆動装置のヒートシンク冷却用のファンモータは、強電盤の背面側に位置している。しかしながら、強電盤の背面側は壁等に隣接されることが多く、強電盤の背面側からモータ駆動装置のファンモータにアクセスするのは事実上困難である。それゆえ、従来技術においては、ファンモータを交換、点検するために、モータ駆動装置を強電盤から取り外す必要があった。このようにモータ駆動装置を強電盤から取り外す場合には、作業時間が延びるだけでなく、モータ駆動装置を再度強電盤に取付けるときに配線ミスが生ずる可能性がある。特許文献１は、このような事情に鑑みてなされたものであり、モータ駆動装置を強電盤から取外すことなしに、ファンモータを交換、点検することのできるモータ駆動装置に関する特許である。特許文献１には、インバータ装置（モータ駆動装置）において、制御盤に取り付けられるフランジにファンユニットを固定する固定部材を固定してフランジの開口部を閉鎖する構造が記載されている。
【先行技術文献】
【特許文献】
【０００３】
【特許文献１】特許第４７３４２９９号公報
【発明の概要】
【発明が解決しようとする課題】
【０００４】
強電盤及びモータ駆動装置の内部は、外部から隔てられている方が好ましい。例えば、切削加工を行う場所で用いられるモータ駆動装置では、切削液を含む空気（切削液ミスト）が強電盤の内部に入り込むと、モータ駆動装置内部のパワー素子やプリント板上の電子部品の故障を招くおそれがある。この点、特許文献１では、ファン固定部材によってフランジの開口部を閉鎖することにより、内部への異物や汚れた空気の侵入を防止している。しかし、ファン固定部材のフランジへの固定は、ファン固定部材の上下の複数個所にネジを締結して行っていたため、ファンユニットの保守作業のたびに上下複数個所のネジを全て取り外す必要があった。場合によっては、ドライバー等の器具を用いてネジを取り外すための作業スペースが必要となり、他の部品を取り外さなければファンユニットの保守作業が行えないこともあった。このように、従来技術には、作業性の向上という観点から改善の余地があった。
【０００５】
本発明は、ファンユニットを取り付ける取付孔をファン固定部材によって閉鎖するモータ駆動装置において、メンテナンスの作業性を効果的に向上させることができる構造を提供することを目的とする。
【課題を解決するための手段】
【０００６】
本発明は、取付孔（例えば、後述の取付孔２１）が形成される取付部材（例えば、後述のフランジ２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述のファンユニットフック２２）と、を備え、前記規制部材は、前記ファン固定部材に嵌合する固定部材嵌合部（例えば、後述の嵌合凹部２５）を有し、前記ファン固定部材が前記固定部材嵌合部に嵌合した状態で締結部材（例えば、後述のネジ６０）が前記取付部材に締結されて前記ファンユニットが前記取付部材に固定されるモータ駆動装置に関する。
【０００７】
また、本発明は、取付孔（例えば、後述の取付孔２１）が形成される取付部材（例えば、後述のフランジ２２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述のスライド部材２３０）と、を備え、前記取付部材には、前記規制部材の一側の端部に嵌合する規制部材嵌合部（例えば、後述のスライドフック２２２）が形成され、前記規制部材が前記規制部材嵌合部に嵌合した状態で締結部材（例えば、後述のネジ６０）が前記取付部材に締結されて前記ファンユニットが前記取付部材に固定されるモータ駆動装置（例えば、後述のモータ駆動装置２０１）に関する。
【０００８】
また、本発明は、取付孔（例えば、後述の取付孔２１）が形成される取付部材（例えば、後述のフランジ３２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述の回転部材３３０）と、を備え、前記規制部材は、前記ファン固定部材に接触する規制位置と前記ファン固定部材から離間する離間位置の間を回転可能に前記取付部材に支持され、前記規制部材が前記規制位置にある状態で締結部材（例えば、後述のネジ６０）が前記取付部材に締結されて前記ファンユニットが前記取付部材に固定されるモータ駆動装置（例えば、後述のモータ駆動装置３０１）に関する。
【０００９】
また、本発明は、取付孔（例えば、後述の取付孔２１）が形成される取付部材（例えば、後述のフランジ４２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述の回転部材４３０）と、を備え、前記規制部材は、前記ファン固定部材に接触する規制位置と前記ファン固定部材から離間する離間位置の間を回転可能に前記取付部材に支持されるとともに、前記回転可能に支持される側と反対側の端部に前記取付部材の上部に嵌合する嵌合部（例えば、後述の嵌合部４３５）が形成され、前記規制部材が前記規制位置にある状態で前記嵌合部が前記取付部材の上部に嵌合して前記ファンユニットが前記取付部材に固定されるモータ駆動装置（例えば、後述のモータ駆動装置４０１）に関する。
【００１０】
また、本発明は、取付孔（例えば、後述の取付孔２１）が形成される取付部材（例えば、後述のフランジ５２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述のバー５３０）と、を備え、前記取付部材は、前記取付孔の周囲に配置され、前記規制部材を挿入可能な第１挿入部（例えば、後述する上側挿入部５４０）と、前記取付孔の周囲に配置され、前記規制部材を挿入可能な第２挿入部（例えば、後述する下側挿入部５５０）と、を有し、前記規制部材が前記第１挿入部を貫通した状態で前記第２挿入部に挿入されることにより、前記ファンユニットが前記取付部材に固定されるモータ駆動装置（例えば、後述のモータ駆動装置５０１）に関する。
【００１１】
また、本発明は、取付孔（例えば、後述の取付孔２１）が形成される取付部材（例えば、後述のフランジ５２０）と、前記取付孔を通して配置可能なファン（例えば、後述のファン５１）及び前記ファンを支持するファン固定部材（例えば、後述のファン固定部材５２）を有するファンユニット（例えば、後述のファンユニット５０）と、前記取付部材に配置され、前記ファン固定部材の前記取付孔から離れる方向への移動を規制する規制部材（例えば、後述のバー６３０）と、を備え、前記取付部材は、前記取付孔の周囲に配置され、前記規制部材を挿入可能な第１挿入部（例えば、後述する上側挿入部５４０）と、前記取付孔の周囲に配置され、前記規制部材を挿入可能な第２挿入部（例えば、後述する下側挿入部５５０）と、を有し、前記規制部材は、前記第１挿入部に挿入可能な第１突出片（例えば、後述の第１突出片６３１）及び前記第２挿入部に挿入可能な第２突出片（例えば、後述の第２突出片６３５）を有し、前記第１突出片が第１挿入部に挿入されるとともに前記第２突出片が第２挿入部に挿入されることにより、前記ファンユニットが前記取付部材に固定されるモータ駆動装置（例えば、後述のモータ駆動装置６０１）に関する。
【００１２】
また、本発明は、取付孔（例えば、後述の取付孔２１）が形成される取付部材（例えば、後述のフランジ７２０）と、前記取付孔を通して配置可能なファン（例えば、後述のファン５１）及び前記ファンを支持するファン固定部材（例えば、後述のファン固定部材７５２）を有するファンユニット（例えば、後述のファンユニット７５０）と、前記取付部材に配置され、前記ファン固定部材の前記取付孔から離れる方向への移動を規制する規制部材（例えば、後述の上側フック７１０及び下側フック７３０）と、を備え、前記ファン固定部材は、前記取付孔を塞ぐ蓋部（例えば、後述の蓋部７５３）と、前記蓋部の周囲に配置され、前記規制部材に嵌合する嵌合部（例えば、後述の嵌合部７６０）と、を有するモータ駆動装置（例えば、後述のモータ駆動装置７０１）に関する。
【００１３】
また、前記取付部材は、盤（例えば、後述の強電盤５）に形成される開口部（例えば、後述の開口部６）に対応する位置に取り付けられ、前記取付部材の前記取付孔は、前記盤の一側と他側を連通することが好ましい。
【００１４】
また、前記ファンユニットは、前記取付部材に支持されるヒートシンク（例えば、後述のヒートシンク１２）を冷却する冷却位置に配置される。
【００１５】
前記ファンユニットの前記ファン固定部材は、前記取付部材の前記取付孔を塞ぐことが好ましい。
【発明の効果】
【００１６】
本発明によれば、ファンユニットを取り付ける取付孔をファン固定部材によって閉鎖するモータ駆動装置において、メンテナンスの作業性を効果的に向上させることができる。
【図面の簡単な説明】
【００１７】
【図１】本発明の第１実施形態に係るモータ駆動装置において、ファンユニットがモータ駆動装置のフランジから取り外されている状態を示す斜視図である。
【図２】本発明の第１実施形態に係るモータ駆動装置において、ファンユニットがモータ駆動装置のフランジに取り付けられている状態を示す斜視図である。
【図３】第１実施形態のファンユニットの斜視図である。
【図４】第１実施形態のファンユニットがモータ駆動装置のフランジに固定されている状態を示す側面図である。
【図５】本発明の第２実施形態に係るモータ駆動装置において、ファンユニットがモータ駆動装置のフランジから取り外されている状態を示す斜視図である。
【図６】第２実施形態のファンユニットがモータ駆動装置のフランジに取り付けられている状態を示す側面図である。
【図７】本発明の第３実施形態に係るモータ駆動装置において、ファンユニットがモータ駆動装置のフランジから取り外されている状態を示す斜視図である。
【図８】第３実施形態のファンユニットがモータ駆動装置のフランジに固定されている状態を示す側面図である。
【図９】第４実施形態のファンユニットがモータ駆動装置のフランジに固定されている状態を示す側面図である。
【図１０】本発明の第５実施形態に係るモータ駆動装置において、ファンユニットがモータ駆動装置のフランジから取り外されている状態を示す斜視図である。
【図１１】第５実施形態のファンユニットを固定する構造の要部を示す斜視図である。
【図１２】第５実施形態のファンユニットがモータ駆動装置のフランジに固定されている状態を示す側面図である。
【図１３】本発明の第６実施形態に係るモータ駆動装置において、ファンユニットがモータ駆動装置のフランジから取り外されている状態を示す斜視図である。
【図１４】第６実施形態のファンユニットを固定する構造の要部を示す斜視図である。
【図１５】第６実施形態のファンユニットがモータ駆動装置のフランジに固定されている状態を示す側面図である。
【図１６】第６実施形態のファンユニットを固定する構造の要部を示す正面図である。
【図１７】本発明の第７実施形態に係るモータ駆動装置において、ファンユニットがモータ駆動装置のフランジから取り外されている状態を示す斜視図である。
【図１８】第７実施形態のファンユニットの斜視図である。
【図１９】第７実施形態のファンユニットがモータ駆動装置のフランジに固定されている状態を示す側面図である。
【発明を実施するための形態】
【００１８】
以下、本発明の好ましい各実施形態について、図面を参照しながら説明する。
【００１９】
図１は、本発明の第１実施形態に係るモータ駆動装置１において、ファンユニット５０がフランジ２０から取り外されている状態を示す斜視図である。図２は、本発明の第１実施形態に係るモータ駆動装置１において、ファンユニット５０がフランジ２０に取り付けられている状態を示す斜視図である。なお、図では、強電盤５の盤面の一部を切り取った状態を内部側から見た様子が示されている。
【００２０】
強電盤５には、その裏側の外部空間に連通する開口部６が形成されており、この開口部６に対応する位置にフランジ２０が固定されている。
【００２１】
フランジ２０は、その裏面にヒートシンク１２が結合される。フランジ２０には、パワー素子１１を内側で保持するための開口部２６及びファンユニット５０を取り付けるための取付孔２１が形成される。本実形態では、フランジ２０の裏面（外部側の面）における開口部２６の周囲の部分が接触した状態でヒートシンク１２が固定される。そして、ヒートシンク１２の表面（内部側の面）にパワー素子１１が固定され、パワー素子１１が強電盤５の内部側に位置する。
【００２２】
フランジ２０の上部には、ファンユニット５０が取り付けられる取付孔２１が形成される。取付孔２１は、強電盤５の内部と外部を連通している。本実施形態の取付孔２１は、その位置がパワー素子１１及びヒートシンク１２の上方になっている。また、フランジ２０の表面における上側のコーナーにはネジ孔２３が形成されている。ネジ孔２３は、正面視において、取付孔２１の右上、左上の合計２箇所に形成される。
【００２３】
フランジ２０の表面における取付孔２１の下方であってパワー素子１１の上方にはファンユニットフック２２が設けられる。ファンユニットフック２２は、ファンユニット５０を係止して取付孔２１から離れる方向への移動を規制する規制部材である。
【００２４】
図３は、第１実施形態のファンユニット５０の斜視図である。ファンユニット５０は、強電盤５に取り付けられたフランジ２０に対して着脱自在に構成される。ファンユニット５０は、ファン５１と、ファン固定部材５２と、パッキン５５と、を主要な構成として備える。
【００２５】
ファン５１は、ヒートシンク１２を冷却するための冷却装置である。図２に示すように、ファン５１は、取付孔２１にファンユニット５０が取り付けられるとヒートシンク１２を冷却する冷却位置に位置する。本実施形態のファン５１の冷却位置は、ヒートシンク１２の上方になっている。
【００２６】
ファン固定部材５２は、ファン５１を支持する支持部として機能するとともに、フランジ２０の取付孔２１を塞ぐ蓋としても機能する。本実施形態のファン固定部材５２は、取付孔２１を覆う蓋部５３と、蓋部５３の裏側から水平方向に延出してファン５１を支持する支持部５４と、を備える。また、蓋部５３には、ネジ孔２３の位置に対応する挿通孔５６が２箇所形成されている。
【００２７】
パッキン５５は、蓋部５３の外側の面に配置され、取付孔２１の形状に応じて矩形の枠状に形成される弾性部材である。取付孔２１にファンユニット５０が取り付けられると、パッキン５５が弾性変形して蓋部５３とフランジ２０の隙間が埋められる。
【００２８】
図４は、第１実施形態のファンユニット５０がフランジ２０に固定されている状態を示す側面図である。ファンユニットフック２２は、フランジ２０の表面から水平方向に突出した後、上方に屈曲するＬ字状に形成されている。ファンユニットフック２２のＬ字の屈曲部分とフランジ２０の表面によってファンユニット５０を嵌合するための嵌合凹部２５が形成される。
【００２９】
次に、第１実施形態におけるファンユニット５０を取付孔２１に取り付ける工程について説明する。まず、図１に示すように、ファンユニット５０のファン５１の部分を取付孔２１に差し込む。次に、図４に示すように、蓋部５３の下端部をファンユニットフック２２の嵌合凹部２５に嵌め込み、ファン５１を冷却位置に配置する。ファンユニットフック２２の嵌合凹部２５に蓋部５３が嵌まり込むことにより、ファンユニット５０の取付孔２１から離れる方向への移動が規制され、ファンユニット５０が取付孔２１に保持された状態となる。ファンユニット５０が取付孔２１に保持された状態でネジ６０を２箇所の挿通孔５６を通じてフランジ２０のネジ孔２３に螺合する。蓋部５３の下辺に相当する部分が長手方向にわたってファンユニットフック２２に固定されるとともに、蓋部５３の上辺に相当する部分が両側２箇所でネジ６０によって固定されることにより、ファンユニット５０が密着性よく取付孔２１に固定される。保守作業等のため、ファンユニット５０をフランジ２０から取り外すときは、取り付ける作業と逆の手順で行う。即ち、ネジ６０を外してファンユニット５０の蓋部５３とファンユニットフック２２の係合を解除して取付孔２１からファンユニット５０を引き抜く。
【００３０】
以上説明した第１実施形態のモータ駆動装置１によれば、以下のような効果を奏する。
即ち、モータ駆動装置１は、強電盤５に形成される開口部６に対応する位置に取り付けられ、強電盤５の裏側（外側）に連通する取付孔２１が形成されるフランジ２０と、強電盤５の裏側でフランジ２０に支持されるヒートシンク１２と、強電盤５の裏側のヒートシンク１２を冷却する冷却位置に取付孔２１を通して配置可能なファン５１及びファン５１を冷却位置で支持するとともに取付孔２１を塞ぐファン固定部材５２を有するファンユニット５０と、フランジ２０に配置され、ファン固定部材５２の取付孔２１から離れる方向への移動を規制するファンユニットフック２２と、を備える。ファンユニットフック２２は、ファン固定部材５２に上下方向で嵌合する嵌合凹部２５を有し、ファン固定部材５２にはネジ６０を挿通する挿通孔５６が形成され、ファン固定部材５２が嵌合凹部２５に嵌合した状態で挿通孔５６を通じてネジ６０がフランジ２０に締結されてファンユニット５０がフランジ２０に固定される。
【００３１】
これにより、蓋部５３に形成する挿通孔５６も上部だけでよくなるので、挿通孔５６を上下２箇所に形成する場合に比べて蓋部５３の上下方向の長さを短くすることができる。また、ドライバーでネジ６０を締結するために必要なフランジ２０の前側のスペースも、ネジ孔２３が形成される部分だけでよくなるので、配置場所や設計の自由度を高めることができる。また、ファンユニットフック２２に蓋部５３の下端部を支持させることにより、ファンユニット５０の上下方向の位置が決まる上にファンユニット５０がその位置で保持されるので、両手を使って作業者はネジ６０の締結作業を行うことができる。ネジ６０のみを用いてファンユニット５０をフランジ２０に固定していた従来の技術に比べ、ネジ６０の数を減らすことができ、締結作業にかかる作業時間の短縮も実現できる。
【００３２】
次に、ファンユニットをフランジに取り付ける構造が第１実施形態と異なる別の実施形態について説明する。なお、以下の説明において既に説明した構成と同様の構成については同じ符号を付してその説明を省略する場合がある。
【００３３】
図５は、本発明の第２実施形態に係るモータ駆動装置２０１において、ファンユニット５０がフランジ２２０から取り外されている状態を示す斜視図である。図６は、第２実施形態のファンユニット５０がフランジ２２０に取り付けられている状態を示す側面図である。
【００３４】
図５に示すように、第２実施形態のモータ駆動装置２０１が備えるフランジ２２０には、ファンユニット５０の蓋部５３が収容されるフランジ凹部２２１が形成される。ファンユニット５０の蓋部５３とフランジ凹部２２１の形状は対応しており、蓋部５３がフランジ凹部２２１に納まることで取付孔２１が閉じられた状態となる。
【００３５】
第２実施形態のモータ駆動装置２０１は、ファンユニット５０を固定するためのスライド部材２３０を備える。スライド部材２３０は、横長の長方形状の板である。スライド部材２３０の表面における上部両側のコーナーにはフランジ２２０のネジ孔２３に対応する挿通孔２５６がそれぞれ形成されている。なお、第２実施形態のファンユニット５０は、第１実施形態の蓋部５３で形成されていた挿通孔５６については蓋部５３に形成されておらず、ファンユニット５０が直接的にネジ６０によって締結されない構造となっている。
【００３６】
フランジ２２０の表面におけるフランジ凹部２２１の下方には、スライドフック２２２が設けられる。スライドフック２２２は、フランジ２０の表面から水平方向に突出した後、上方に屈曲するＬ字状に形成されている。スライドフック２２２のＬ字の屈曲部分とフランジ２２０の表面によってスライド部材２３０を嵌合するための嵌合凹部２２５が形成される。
【００３７】
次に、第２実施形態におけるファンユニット５０を取付孔２１に取り付ける工程について説明する。まず、図５に示すように、ファンユニット５０のファン５１の部分を取付孔２１に差し込む。ファンユニット５０が取付孔２１に水平方向で挿入される過程でパッキン５５も上側や下側だけ弾性変形することなく均等に弾性変形し、高い密閉性が保たれた状態で取付孔２１が塞がれる。
【００３８】
図６に示すように、蓋部５３がフランジ凹部２２１に納まることにより、フランジ２２０の表面と蓋部５３の表面が略面一となる。この状態で、スライドフック２２２の嵌合凹部２２５にスライド部材２３０を上から差し込む。スライド部材２３０を嵌合凹部２２５に差し込んだ状態で、挿通孔２５６を通してフランジ２２０のネジ孔２３にネジ６０を螺合する。これによって、スライド部材２３０がフランジ２２０の表側でファンユニット５０の取付孔２１から離れる方向への移動を規制する位置で固定される。保守作業等のため、ファンユニット５０をフランジ２２０から取り外すときは、取り付ける作業と逆の手順で行う。
【００３９】
以上説明した第２実施形態のモータ駆動装置２０１によれば、以下のような効果を奏する。即ち、モータ駆動装置２０１は、フランジ２２０に配置され、ファン固定部材５２の取付孔２１から離れる方向への移動を規制するスライド部材２３０を更に備える。
フランジ２２０には、スライド部材２３０の一側の端部に嵌合するスライドフック２２２が形成され、スライド部材２３０は、板状に形成されるとともに、スライドフック２２２に嵌合する側とは反対側の端部にネジ６０を挿通する挿通孔２５６が形成される。スライド部材２３０がスライドフック２２２に嵌合した状態で挿通孔２５６を通じてネジ６０がフランジ２２０に締結されてファンユニット５０がフランジ２２０に固定される。
【００４０】
これにより、蓋部５３に形成する挿通孔５６が必要なくなるので、挿通孔５６を形成する場合に比べて蓋部５３の上下方向の長さを短くすることができる。また、ドライバーでネジ６０を締結するために必要なフランジ２２０の前側のスペースも、ネジ孔２３が形成される部分だけでよくなるので、配置場所や設計の自由度を高めることができる。一側の端部がスライドフック２２２に嵌合されるスライド部材２３０によってファンユニット５０の位置を固定できるので、ネジ６０を用いてファンユニット５０をフランジ２０に固定していた従来の技術に比べ、ネジ６０の数を減らすことができ、締結作業にかかる作業時間の短縮も実現できる。
また、本実施形態のように、パッキン５５を備える構成において、ファンユニット５０が水平方向に挿入し、板状に形成されるスライド部材２３０によって面でファンユニット５０を押さえるので、パッキン５５を均等に弾性変形させることができ、より密閉性を高めることができる。
【００４１】
次に、第３実施形態のモータ駆動装置３０１について説明する。図７は、本発明の第３実施形態に係るモータ駆動装置３０１において、ファンユニット５０がフランジ３２０から取り外されている状態を示す斜視図である。図８は、第３実施形態のファンユニット５０がフランジ３２０に取り付けられている状態を示す側面図である。
【００４２】
図７に示すように、フランジ３２０には、蓋部５３を収容するフランジ凹部３２１が第２実施形態と同様に形成される。フランジ３２０の表面におけるフランジ凹部３２１の下方には、ファンユニット５０の取付孔２１から離れる方向への移動を規制する規制部材としての回転部材３３０が配置される。
【００４３】
回転部材３３０は、横長の長方形状の板であり、一側の端部が回転軸３３１を介してフランジ３２０に支持される。本実施形態では、フランジ３２０に設けられる回転軸３３１に回転部材３３０が回転可能に嵌合されている。
【００４４】
回転部材３３０は、ファンユニット５０が取付孔２１から取り外されているときの離間位置と、ファンユニット５０が取付孔２１に取り付けられているときの規制位置と、の間を回転可能に構成される。回転部材３３０の離間位置は、取付孔２１を塞がず、ファンユニット５０の挿入方向に干渉しない位置に設定される。例えば、図７に示すように、回転部材３３０の先端が水平方向を向く状態まで回転可能となっている。なお、図７に示す状態に限られず、回転部材３３０の先端が下を向く状態を離間位置としてもよい。
【００４５】
回転部材３３０の規制位置は、回転部材３３０の一側の平面部分が蓋部５３の表面に対向する位置である。図８に示すように、回転部材３３０の先端が上方を向く状態が規制位置である。また、図７に示すように、回転部材３３０には、規制位置にある状態でネジ孔２３の位置に対応する挿通孔３５６が２箇所形成される。
【００４６】
次に、第３実施形態におけるファンユニット５０を取付孔２１に取り付ける工程について説明する。まず、図７に示すように、ファンユニット５０のファン５１の部分を取付孔２１に差し込む。次に、図８に示すように、回転部材３３０を離間位置から規制位置に回動させる。回転部材３３０が規制位置にある状態で挿通孔３５６を通してフランジ２２０のネジ孔２３にネジ６０を螺合する。これによって、ファンユニット５０の取付孔２１から離れる方向への移動を規制する規制位置で回転部材３３０が固定される。保守作業等のため、ファンユニット５０をフランジ３２０から取り外すときは、取り付ける作業と逆の手順で行う。
【００４７】
以上説明した第３実施形態のモータ駆動装置３０１によれば、以下のような効果を奏する。即ち、モータ駆動装置３０１の規制部材としての回転部材３３０は、一側の端部がファン固定部材５２に接触する規制位置とファン固定部材５２から離間する離間位置の間を回転可能にフランジ３２０に支持されるとともに、回転可能に支持される側と反対側の端部にネジ６０を挿通する挿通孔３５６が形成される。回転部材３３０が規制位置にある状態で挿通孔３５６を通じてネジ６０がフランジ３２０に締結されてファンユニット５０がフランジ３２０に固定される。
【００４８】
これにより、蓋部５３に形成する挿通孔５６が必要なくなるので、挿通孔５６を形成する場合に比べて蓋部５３の上下方向の長さを短くすることができる。また、ドライバーでネジ６０を締結するために必要なフランジ３２０の前側のスペースも、ネジ孔２３が形成される部分だけでよくなるので、配置場所や設計の自由度を高めることができる。回転部材３３０を規制位置に移動させるだけでファンユニット５０の位置を固定できるので、ネジ６０のみを用いてファンユニット５０をフランジ２０に固定していた従来の技術に比べ、ネジ６０の数を減らすことができ、締結作業にかかる作業時間の短縮も実現できる。
また、回転部材３３０がフランジ３２０に取り付けられているので、別部品として取り外す必要や、落下による紛失のおそれもなく、作業性がよい。
また、本実施形態のように、パッキン５５を備える構成において、ファンユニット５０が水平方向に挿入し、板状に形成される回転部材３３０によって面でファンユニット５０を押さえるので、パッキン５５を均等に弾性変形させることができ、より密閉性を高めることができる。
【００４９】
次に、第４実施形態のモータ駆動装置４０１について説明する。図９は、第４実施形態のファンユニット５０がフランジ４２０に固定されている状態を示す側面図である。図９に示すように、第４実施形態では、第３実施形態と同様に、フランジ４２０には蓋部５３に対応するフランジ凹部４２１が形成されるとともに、規制部材としての回転部材４３０がフランジ凹部４２１の下方に設けられる回転軸４３１を介してフランジ４２０に固定される。
【００５０】
回転部材４３０の先端にはフック状の嵌合部４３５が形成される。また、フランジ４２０の上面には、回転部材４３０の嵌合部４３５に対応する嵌合凹部４３６が形成される。ファンユニット５０を取付孔２１に挿入した状態で回転部材４３０を規制位置まで回動させ、嵌合凹部４３６に回転部材４３０の嵌合部４３５の先端を嵌め込むことにより、ファンユニット５０が取付孔２１に固定される。保守作業を行うときは、嵌合部４３５と嵌合凹部４３６の嵌合を解除した後、回転部材４３０を離間位置に移動させてファンユニット５０を取付孔２１から引き抜く。
【００５１】
以上説明した第４施形態のモータ駆動装置４０１によれば、以下のような効果を奏する。即ち、モータ駆動装置４０１の規制部材としての回転部材４３０は、ファン固定部材５２に接触する規制位置とファン固定部材５２から離間する離間位置の間を回転可能にフランジ４２０に支持されるとともに、回転可能に支持される側と反対側の端部にフランジ４２０の上部の嵌合凹部４３６に嵌合する嵌合部４３５が形成される。回転部材４３０が規制位置にある状態で嵌合部４３５がフランジ４２０の上部の嵌合凹部４３６に嵌合してファンユニット５０がフランジ４２０に固定される。
【００５２】
これにより、蓋部５３に形成する挿通孔５６が必要なくなるので、挿通孔５６を形成する場合に比べて蓋部５３の上下方向の長さを短くすることができる。回転部材４３０を規制位置に移動させて嵌合部４３５をフランジ４２０に嵌合させるだけでファンユニット５０を固定でき、ネジ６０の締結作業を行う必要もなく、作業時間の短縮も実現できる。
また、回転部材４３０がフランジ３２０に取り付けられていることに加え、ネジ６０も必要ないので、別部品として取り外す必要や、落下による紛失のおそれもなく、作業性がよい。
また、本実施形態のように、パッキン５５を備える構成において、ファンユニット５０が水平方向に挿入し、板状に形成される回転部材４３０によって面でファンユニット５０を押さえるので、パッキン５５を均等に弾性変形させることができ、より密閉性を高めることができる。
【００５３】
次に、第５実施形態のモータ駆動装置５０１について説明する。図１０は、本発明の第５実施形態に係るモータ駆動装置５０１において、ファンユニット５０がフランジ５２０から取り外されている状態を示す斜視図である。図１１は、第５実施形態のファンユニット５０を固定する構造の要部を示す斜視図であり、図１０の鎖線示す領域を拡大したものである。図１２は、第５実施形態のファンユニット５０がフランジ５２０に固定されている状態を示す側面図である。
【００５４】
図１１に示すように、フランジ５２０には、蓋部５３に対応するフランジ凹部５２１が形成される。フランジ凹部５２１に取付孔２１が形成される。図１２に示すように、取付孔２１の上方には上側挿入部５４０が間隔をあけて複数（２箇所）形成される。上側挿入部５４０には、規制部材としてのバー５３０を挿入可能な挿入口５４１が形成される。また、取付孔２１の下方であって上側挿入部５４０に対応する位置には下側挿入部５５０が複数（２箇所）形成される。
【００５５】
第５実施形態では、２本のバー５３０が規制部材となってファンユニット５０をフランジ５２０に固定する。バー５３０は、その上部に水平方向に延びる係止部５３１が形成されている。この係止部５３１が上側挿入部５４０に係止されることによってバー５３０がファンユニット５０の移動を規制する位置に保持される。
【００５６】
ファンユニット５０を取付孔２１に取り付ける工程では、ファンユニット５０のファン５１の部分を取付孔２１に差し込んで蓋部５３をフランジ凹部５２１に納めた状態にする。次に、バ−５３０を上側挿入部５４０の挿入口５４１に差し込む。上側挿入部５４０を貫通したバー５３０の下端を下側挿入部５５０の挿入口５５１に挿入する。バー５３０は、係止部５３１によって下方に抜けることなく、フランジ５２０の前面で保持される。図１２に示すように、バー５３０はファンユニット５０の前側に位置し、ファン固定部材５２が取付孔２１から離れようとする動きを規制し、ファンユニット５０がフランジ５２０に固定された状態となる。保守作業等のため、ファンユニット５０をフランジ５２０から取り外すときは、取り付ける作業と逆の手順で行う。
【００５７】
以上説明した第５実施形態のモータ駆動装置５０１によれば、以下のような効果を奏する。モータ駆動装置５０１のフランジ５２０は、取付孔２１の周囲の上方に配置され、規制部材としてのバー５３０を挿入可能な第１挿入部としての上側挿入部５４０と、取付孔２１の周囲の下方で上側挿入部５４０の位置に対応する位置に配置される第２挿入部としての下側挿入部５５０と、を有する。バー５３０は、その上部に上側挿入部５４０に係合する係止部５３１を有し、バー５３０が上側挿入部５４０を貫通した状態で下側挿入部５５０に挿入されることにより、ファンユニット５０がフランジ５２０に固定される。
【００５８】
これにより、蓋部５３に形成する挿通孔５６が必要なくなるので、挿通孔５６を形成する場合に比べて蓋部５３の上下方向の長さを短くすることができる。バー５３０を上側挿入部５４０及び下側挿入部５５０に挿入するだけでファンユニット５０を固定でき、ネジ６０の締結作業を行う必要もなく、作業時間の短縮も実現できる。ドライバー等によってネジを締結するための作業スペースも必要なく、配置や設計の自由度を高めることができる。また、重力方向と逆方向に閂構造のバー５３０を引き抜かない限り、バー５３０が外れなくなっているので、ファンユニット５０の安定した固定が実現できる。
また、本実施形態のように、パッキン５５を備える構成において、ファンユニット５０が水平方向に挿入し、左右両側に配置される複数のバー５３０によってファンユニット５０を押さえるので、パッキン５５を均等に弾性変形させることができ、より密閉性を高めることができる。
なお、上記実施形態では、第１挿入部としての上側挿入部５４０と第２挿入部としての下側挿入部５５０が、取付孔２１を挟んで上下方向に並ぶように配置されているが、この構成に限定されるわけではない。第１挿入部及び第２挿入部は、取付孔の周囲に配置されておればよく、第１挿入部と第２挿入部が水平方向に並ぶ構成等、事情に応じてその構成を適宜変更することができる。
【００５９】
次に、第６実施形態のモータ駆動装置６０１について説明する。図１３は、本発明の第６実施形態に係るモータ駆動装置６０１において、ファンユニット５０がフランジ５２０から取り外されている状態を示す斜視図である。図１４は、第６実施形態のファンユニット５０を固定する構造の要部を示す斜視図である。図１５は、第６実施形態のファンユニット５０がフランジ５２０に固定されている状態を示す側面図である。図１６は、第６実施形態のファンユニット５０を固定する構造の要部を示す正面図である。
【００６０】
図１３〜図１６に示すように、第６実施形態では、第５実施形態のバー５３０と異なる形状のバー６３０が規制部材として用いられる。
【００６１】
バー６３０は、その上部にＬ字状の上側切欠部６３２が形成されるとともに、上側挿入部５４０の挿入口５４１に差し込まれる第１突出片６３１が形成される。第１突出片６３１は、Ｌ字状の上側切欠部６３２の上側の縁部であり、下方に突出する形状である。また、上側切欠部６３２は、その幅が上側挿入部５４０の上下方向の厚みに応じて形成されており、上側挿入部５４０を水平方向で通過させることが可能になっている。
【００６２】
バー６３０は、その下部に下側切欠部６３６が形成されるとともに、下方に突出する第２突出片６３５が形成される。第２突出片６３５は、第１突出片６３１の位置に対応しており、下側挿入部５５０の挿入口５５１に差し込まれる。第２突出片６３５が挿入口５５１に差し込まれた状態では、下側切欠部６３６の一部が下側挿入部５５０の上面に接触し、バー６３０が下から支持された状態となる。
【００６３】
バー６３０は、正面視において左右両側のそれぞれに配置される。本実施形態では、左右のバー６３０の形状が線対称な関係になっている。図１６の鎖線に示すように、バー６３０を引き抜くときは、上に少し持ち上げるだけで上側挿入部５４０及び下側挿入部５５０の嵌合が解除される。
【００６４】
以上説明した第６実施形態のモータ駆動装置６０１によれば、以下のような効果を奏する。モータ駆動装置６０１の規制部材としてのバー６３０は、その上部から水平方向に延出した後下方に屈曲するように形成される第１突出片６３１及び下部から下方に突出する第２突出片６３５を有し、第１突出片６３１が上側挿入部５４０に差し込まれるとともに第２突出片６３５が下側挿入部５５０に差し込まれることにより、ファンユニット５０がフランジ５２０に固定される。
【００６５】
これにより、蓋部５３に形成する挿通孔５６が必要なくなるので、挿通孔５６を形成する場合に比べて蓋部５３の上下方向の長さを短くすることができる。バー６３０を上側挿入部５４０及び下側挿入部５５０に挿入するだけでファンユニット５０を固定でき、ネジ６０の締結作業を行う必要もなく、作業時間の短縮も実現できる。ドライバー等によってネジを締結するための作業スペースも必要なく、配置や設計の自由度を高めることができる。また、重力方向と逆方向に閂構造のバー５３０を引き抜かない限り、バー６３０が外れなくなっているので、ファンユニット５０の安定した固定が実現できる。また、バー６３０を取り外すときは第１突出片６３１及び第２突出片６３５の差込量だけバー６３０を上に移動させるだけでバー６３０をフランジ５２０から取り外すことができる。少し持ち上げるだけでバー６３０を取り外すことができるので、フランジ５２０の上部の保守スペースを小さくすることができる。
また、本実施形態においてもファンユニット７５０が水平方向に挿入されるのでパッキン５５を均等に弾性変形させることができ、より密閉性を高めることができる。
【００６６】
次に、第７実施形態のモータ駆動装置７０１について説明する。図１７は、本発明の第７実施形態に係るモータ駆動装置７０１において、ファンユニット５０がフランジ７２０から取り外されている状態を示す斜視図である。図１８は、第７実施形態のファンユニット７５０の斜視図である。図１９は、第７実施形態のファンユニット７５０がフランジ７２０に固定されている状態を示す側面図である。
【００６７】
図１７に示すように、第７実施形態では、フランジ７２０の表面における取付孔２１の上方には上側フック７１０が配置され、取付孔２１の下方には下側フック７３０が配置される。
【００６８】
図１８に示すように、第７実施形態のファン固定部材７５２の蓋部７５３の上下には弾性変形可能な嵌合部７６０が形成される。上側の嵌合部７６０の端部には上方に突出する突出部７６１が形成され、下側の嵌合部７６０の端部には下方に突出する突出部７６１が形成される。
【００６９】
図１９に示すように、上側フック７１０は、側面視において、フランジ７２０の表面から水平方向に延出した後に下側に屈曲するＬ字状に形成される。この上側フック７１０とフランジ７２０の表面との間に上側嵌合凹部７１１が形成される。また、下側フック７３０は、側面視において、フランジ７２０の表面から水平方向に延出した後に上側に屈曲するＬ字状に形成される。この下側フック７３０とフランジ７２０の表面との間に下側嵌合凹部７３１が形成される。
【００７０】
ファンユニット７５０の嵌合部７６０は、側面視において横向きの略Ｕ字状に形成されている。この嵌合部７６０が上下方向で撓むことにより、上側の嵌合部７６０の突出部７６１が上側フック７１０の上側嵌合凹部７１１に嵌り込むとともに、下側の嵌合部７６０の突出部７６１が下側フック７３０の下側嵌合凹部７３１に嵌まり込んだ状態となる。この状態では、上側フック７１０及び下側フック７３０によってファン固定部材７５２の取付孔２１から離れる方向への移動が規制された状態になる。
【００７１】
以上説明した第７実施形態のモータ駆動装置７０１によれば、以下のような効果を奏する。モータ駆動装置７０１のファン固定部材７５２は、取付孔２１を塞ぐ蓋部７５３と、蓋部７５３の上側の端部及び下側の端部のそれぞれに配置され、弾性変形可能に構成される嵌合部７６０と、を有する。ファン固定部材７５２の取付孔２１から離れる方向の移動を規制する規制部材は、取付孔２１の上方に配置され、上側の嵌合部７６０に嵌合する上側フック７１０と、取付孔２１の下方に配置され、下側の嵌合部７６０に嵌合する下側フック７３０と、から構成される。
【００７２】
これにより、蓋部５３に形成する挿通孔５６が必要なくなるので、挿通孔５６を形成する場合に比べて蓋部５３の上下方向の長さを短くすることができる。蓋部７５３の上下の嵌合部７６０を上側フック７１０及び下側フック７３０に嵌合させるだけでファンユニット７５０を固定でき、ネジ６０の締結作業を行う必要もなく、作業時間の短縮も実現できる。ドライバー等によってネジを締結するための作業スペースも必要なく、配置や設計の自由度を高めることができる。
また、本実施形態においてもファンユニット７５０が水平方向に挿入されるのでパッキン５５を均等に弾性変形させることができ、より密閉性を高めることができる。
【００７３】
以上、本発明の好ましい実施形態について説明したが、本発明は、上述の実施形態に制限されるものではなく、適宜変更が可能である。
【符号の説明】
【００７４】
１，２０１，３０１，４０１，５０１，６０１，７０１  モータ駆動装置
５  強電盤（盤）
６  開口部
１２  ヒートシンク
２０，２２０，３２０，４２０，５２０，７２０  フランジ（取付部材）
２１  取付孔
２２  ファンユニットフック（規制部材）
２５  嵌合凹部（固定部材嵌合部）
５０  ファンユニット
５１  ファン
５２  ファン固定部材
５６  挿通孔
６０  ネジ（締結部材）
２２２  スライドフック（規制部材嵌合部）
２３０  スライド部材（規制部材）
２５６  挿通孔
３３０  回転部材（規制部材）
３５６  挿通孔
４３０  回転部材（規制部材）
４３５  嵌合部
５３０  バー（規制部材）
５３１  係止部
５４０  上側挿入部（第１挿入部）
５５０  下側挿入部（第２挿入部）
６３０  バー（規制部材）
６３１  第１突出片
６３５  第２突出片
７１０  上側フック（上側規制部材）
７３０  下側フック（下側規制部材）
７５０  ファンユニット
７５２  ファン固定部材
７６０  嵌合部
【図１】
0006360103.tif 000002
【図２】
0006360103.tif 000003
【図３】
0006360103.tif 000004
【図４】
0006360103.tif 000005
【図５】
0006360103.tif 000006
【図６】
0006360103.tif 000007
【図７】
0006360103.tif 000008
【図８】
0006360103.tif 000009
【図９】
0006360103.tif 000010
【図１０】
0006360103.tif 000011
【図１１】
0006360103.tif 000012
【図１２】
0006360103.tif 000013
【図１３】
0006360103.tif 000014
【図１４】
0006360103.tif 000015
【図１５】
0006360103.tif 000016
【図１６】
0006360103.tif 000017
【図１７】
0006360103.tif 000018
【図１８】
0006360103.tif 000019
【図１９】
0006360103.tif 000020